(57)【要約】      （修正有）【課題】目標とするスリムな顔や身体を明示することによって、ダイエット継続に対する強い動機付けを与える。【解決手段】平面鏡２２と曲面鏡２３とをそれぞれ裏面が対向するように貼り合わせた鏡本体部２を、支持台部３に回転自在に取り付けて組合せ鏡１を構成する。平面鏡２２によって現状の姿が確認でき、同時に曲面鏡２３によって目標とする好ましいスリムな姿が明示されるので、ダイエット継続に対する強い動機付けを与えることができる。【選択図】図２
0003113100.tif 000002
【実用新案登録請求の範囲】
【請求項１】
平面鏡と曲面鏡とを備え、
上記曲面鏡は、写像が横細になるように左右方向に湾曲している
ことを特徴とする組合せ鏡。
【請求項２】
請求項１において、上記平面鏡と曲面鏡とは、それぞれの裏面が対向するように構成されていることを特徴とする組合せ鏡。
【請求項３】
請求項１において、上記平面鏡と曲面鏡とは、それぞれの表面が略同一方向に向かうように並列してあることを特徴とする組合せ鏡。
【請求項４】
請求項３において、上記平面鏡と曲面鏡との境界部分は、折れ曲がり自在であることを特徴とする組合せ鏡。
【請求項５】
請求項１〜４のいずれか１において、上記曲面鏡の湾曲率を調整可能な湾曲率調整機構を備えていることを特徴とする組合せ鏡。
【考案の詳細な説明】
【技術分野】
【０００１】
本考案は、平面鏡および曲面鏡から構成される組合せ鏡に関する。
【背景技術】
【０００２】
近年、美容や健康志向の高まりとともに、多くのダイエット用の料理、薬剤あるいは器具等のダイエット手段が提案されている。このようなダイエットの効果は、体重、ウエストサイズ、あるいは体脂肪の減少等によって数量的に確かめることができる。しかしながら、特に美容を目的とするダイエットでは、何よりも顔や身体等がスリムになったか否かが、大いに気に掛かるものである。したがってこのようなダイエットは、まず鏡に映った顔や身体等がスリムになったか否かで、その効果が確認される。
【考案の開示】
【考案が解決しようとする課題】
【０００３】
しかしながらダイエットの効果を得るためには、長期間にわたる継続的な努力が必要となる場合も多く、往々にして挫折しがちである。このような場合に、目標とするスリムな顔や身体等の姿が具体的に明示されれば、ダイエットを継続するための強力な動機付けになると考えられる。
【０００４】
そこで本考案の目的は、本人の顔や身体等について、現状の姿と目標とする姿との双方を写すことによって、ダイエットを継続するための動機付けを与え得る組合せ鏡を提供することにある。
【課題を解決するための手段】
【０００５】
上述した課題を解決すべく本考案による組合せ鏡の特徴は、平面鏡と、曲面鏡とから構成され、平面鏡によって現状の姿を確認し、曲面鏡によって、目標とするスリムな姿を写しだすことにある。すなわち本考案による組合せ鏡は、平面鏡と曲面鏡とを備え、この曲面鏡は、写像が横細になるように左右方向に湾曲している。
【０００６】
上記平面鏡と曲面鏡とは、その裏面が対向するように構成して、コンパクト化することが望ましい。あるいは上記平面鏡と曲面鏡とを、それぞれの表側が略同一方向に向かうように並列させ、通常の鏡による写像と、曲面鏡による写像とを直接比較できるようにすることも望ましい。
【０００７】
また並列した上記平面鏡と曲面鏡との境界部分を、折れ曲がり自在に連結して、コンパクト化、及び現状の姿と目標とする姿とを並べて比較するようにすることがなお望ましい。
【０００８】
さらに、上記曲面鏡の湾曲率を調整できる湾曲率調整機構を備え、個々の使用者が、それぞれ目標とするスリムな姿を設定するようにすることも望ましい。
【０００９】
ここで「平面鏡」とは、透明な平板材の裏面に反射層を塗布した、通常の鏡を意味する。透明な平板材としては、ガラス、合成樹脂等を利用できる。金属の薄板の表面を鏡面研磨して使用することもできる。
【００１０】
ここで、「曲面鏡」とは、鏡面の表側の横方向中央部が、縦方向に沿って凹むように湾曲させた凹面鏡を意味する。この凹面鏡では、写像が横細に映る、すなわち人物であれば、やせたようにスリムに映す機能を有する。凹面鏡の場合、製作のしやすさからは、合成樹脂で作ることが望ましい。金属の薄板の一方の面を鏡面研磨したものを、湾曲させて使用することもできる。
【００１１】
ここで「折れ曲がり自在」とは、使用時には、２種類の鏡を略同じ向きにして使用するが、不使用時には折りたたんでコンパクトに収容できる機能を意味する。折れ曲がり機構としては、例えば公知の蝶番機構で連結したものが該当する。より簡便には、合成樹脂のテープ部材、布部材等も使用可能である。
【００１２】
ここで「湾曲率調整機構」とは、曲面鏡の湾曲率を変え、写像の横細の程度を変更する機構を意味する。例えば、弾性部材からなる曲面鏡の左右辺の一方を、ねじ部材等によって押圧して、この曲面鏡の湾曲率を変化させる機構が該当する。
【考案の効果】
【００１３】
本人の顔や身体等について、目標とする好ましい具体的なイメージが、その都度曲面鏡により明示されるため、ダイエットを継続する強力な動機付となる。また平面鏡による現状の姿も同時に映し出されるので、目標とする姿との差が明らかになり、ダイエットを継続する動機付をさらに強くすることができる。
【００１４】
平面鏡と曲面鏡をそれぞれの裏面が対向するように構成することによって、2種類の鏡機能を、ほぼ一枚の鏡と同じサイズで実現でき、コンパクト化や携帯が容易になる。
【００１５】
また、平面鏡と曲面鏡を並立するように構成すれば、平面鏡による通常の写像と、曲面鏡に映るやせた写像とを直接同時に比較できるので、ダイエット実施時の動機付けをより高めることができる。また、平面鏡と曲面鏡との境界部分を折れ曲がり自在に連結することによって、使用しないときには、コンパクトに収納でき、携帯性を損なうこともない。
【００１６】
曲面鏡の湾曲率を調整可能にすることにより、目標とするスリムな姿を、各個人毎に変更調製して設定できるため、ダイエット努力継続の動機付け効果をより高めることができる
【考案を実施するための最良の形態】
【００１７】
図１〜図６を参照して、本考案による組合せ鏡を説明する。図１〜図２に示すように、本発明による組合せ鏡１は、鏡本体部２および支持台部３から構成される。鏡本体部２は、プラスチック材からなる縦長の楕円形状の枠部材２１と、この枠部材の内側に形成した凹溝２１ａ内に挿入した平面鏡２２と曲面鏡２３とで構成される。なお平面鏡２２と曲面鏡２３とは、それぞれの裏面が対抗するように接着材２４で貼り合せてある。また枠部材２１は左右に２分割したものを使用して、平面鏡２２と曲面鏡２３とを凹溝２１ａ内に挿着した後で、接着材によって一体的に接合してある。平面鏡２２は、透明ガラスの裏面に、アルミニュウムを蒸着したものを使用している。また曲面鏡２３は、透明ガラスの湾曲した表面に、アルミニュウムを蒸着したものを使用している。
【００１８】
支持台部３は、それぞれプラスチック材からなる台座部３１と、この台座部に立設した左右の支持部材３２、３２から構成される。支持部材３２、３２の先端部分には、それぞれ鏡本体部２の両端部を左右から挟持するビス３３、３３が設けてある。したがってビス３３、３３を緩めれば、鏡本体部２をこのビスを支点として回転させ、平面鏡２２と曲面鏡２３とを、それぞれ交互に使用することができる。またビス３３、３３をさらに緩めれば、鏡本体部２を左右の支持部材３２、３２から取り外して、この鏡本体部だけを携帯することもできる。
【００１９】
次に図３および図４を参照して、本考案による他の組合せ鏡１０１について説明する。組合せ鏡１０１は、鏡本体部１０２と支持台部１０３とから構成される。鏡本体部１０２は、矩形の平面鏡１２２および曲面鏡１２３を、それぞれ左枠部材１２１および右枠部材１２４に収容した形で組み立てられ、それぞれの表側が同一方向を向くように並列に並べて構成される。平面鏡１２２を収納した左枠部材１２１の右辺と、曲面鏡１２３を収納した右枠部材１２４の左辺とは、蝶番１２５によって回転自在に連結されている。
【００２０】
支持台部１０３は、円板状の台座部１３１と、この台座部に立設した支持部材１３２とから構成され、この支持部材の上端が、平面鏡１２２を収納した左枠部材１２１の下端に結合してある。したがって平面鏡１２２と曲面鏡１２３とによって、現状の姿と好ましいスリムな姿とを同時に比較することができる。なお図３は、曲面鏡１２３を、平面鏡１２２に対して矢印した
方向に折りたたむ途中を示すが、最終的には、この平面鏡と曲面鏡との裏面を重ねてコンパクトな収納形態とすることができる。
【００２１】
なお鏡本体部１０２と支持台部１０３とを着脱自在とすることによって、平面鏡１２２と曲面鏡１２３とを、コンパクトに収納した形で携帯することも可能である。また鏡本体部１０２と支持台部１０３との材質や組立構造は、上述した実施の形態と同様にしてある。
【００２２】
次に図５および図６を参照して、本考案による他の組合せ鏡２０１を説明する。なお組合せ鏡２０１は、上述した組合せ鏡１０１の曲面鏡１２３に対して、その湾曲率を調整可能な湾曲率調整機構２０４を付加したものである。すなわち組合せ鏡２０１では、曲面鏡２２３は、弾性を有する薄い透明プラスチック材等の表面にアルミニウム等を蒸着したものからなり、右枠部材２２４の４辺の内側に形成した凹溝２２４ａ内に挿入されている。一方湾曲率調整機構２０４は、曲面鏡２２３の右辺に当接する押さえ板２４１と、右枠部材２２４の右
辺中央高さ位置に螺合するねじ部材２４２とで構成される。ねじ部材２４２の先端は、押さえ板２４１に接触している。
【００２３】
すなわち押圧ネジ２４２をねじ込んで、押さえ板２４１を押圧すると、曲面鏡２２３は左右方向の幅が狭くなって、湾曲率が大きくなり、写像がより横細になる。また逆に押圧ネジ２４２を緩めると、曲面鏡２２３の湾曲率が小さくなって、写像の横細が緩和される。したがって各個人毎に、目標とするスリムな姿を、容易かつ任意に調整して設定することができる。
【００２４】
なお、平面鏡２２等や曲面鏡２３等の形状は、上述したものに限らず、個人の好みに応じた形状とすることができ、例えば、組合せ鏡１０１および２０１において、平面鏡１２２等と曲面鏡１２３等とをそれぞれを半円形状に形成して、両者を上下に合わせて、全体として円形とするようなことも可能である。大きさも、携帯可能なコンパクトなものから、全身を映すことのできる大型のものまで、任意のサイズに適用可能であることは言うまでもない。また、設置方法も、支持台に取り付けるだけでなく、吊り下げ方式等を採用することもできる。大型で、移動を必要としない場合には、壁に固定する方式も、もちろん適用可能である。
【産業上の利用可能性】
【００２５】
本考案による組合せ鏡は、公知の材料、技術を用いて、容易かつ安価に大量生産できるとともに、通常の鏡機能に加え、横細のスリムな姿を映すことができるため、ダイエットの継続に強い動機付けを与えることができる。したがって、鏡や部屋の内装等に関する産業のみならず、健康増進に関する産業までも含めて広く利用可能である。
【図面の簡単な説明】
【００２６】
【図１】組合せ鏡の正面図である。
【図２】組合せ鏡の断面図である。
【図３】他の組合せ鏡の正面図である。
【図４】他の組合せ鏡の上面図である。
【図３】他の組合せ鏡の正面図である。
【図４】他の組合せ鏡の凹面鏡の取り付けを示す断面図である。
【符号の説明】
【００２７】
１、１０１、２０１          組合せ鏡
１２５、２２５              蝶番
２、１０２、２０２          鏡本体部
２１、１２１、２２１        枠部材
２２、１２２、２２２        平面鏡
２３、１２３、２２３        曲面鏡
２０４                      湾曲率調整機構
２４１                      押さえ材
２４２                      ネジ部材
３、１０３、２０３          支持台部
３１、１３１、２３１        台座部
３２、１３２、２３２        支持部材
【図１】
0003113100.tif 000003
【図２】
0003113100.tif 000004
【図３】
0003113100.tif 000005
【図４】
0003113100.tif 000006
【図５】
0003113100.tif 000007
【図６】
0003113100.tif 000008
【手続補正書】
【提出日】平成17年6月23日(2005.6.23)
【手続補正１】
【補正対象書類名】明細書
【補正対象項目名】００２６
【補正方法】変更
【補正の内容】
【００２６】
【図１】組合せ鏡の正面図である。
【図２】組合せ鏡の断面図である。
【図３】他の組合せ鏡の正面図である。
【図４】他の組合せ鏡の上面図である。
【図５】他の組合せ鏡の正面図である。
【図６】他の組合せ鏡の凹面鏡の取り付けを示す断面図である。